(57)【要約】【課題】信号品質評価をより正確に行うため、信号について、測定システムにより取り込まれる雑音のみを低減する。【解決手段】信号品質評価のための測定を行う際に、測定雑音を低減するためのシステムおよび方法が開示される。測定システムにより取り込まれる測定雑音およびネットワークシステムにより取り込まれるネットワーク雑音を含む信号を取得する。該測定雑音の雑音プロファイルを取得する。一例では、測定システムをネットワークに接続する時に用いられるインターフェースに関する情報を取得してもよい、信号サンプル、雑音プロファイルおよび該インターフェース情報のうちの一部またはすべてを用いて、ノイズ除去を行う。測定雑音は、ネットワーク雑音に実質的に影響することなく、取り除かれる。こうして、信号品質評価のための正確な信号サンプルが得られる。【選択図】図２
2005328527.tif 000002
【特許請求の範囲】
【請求項１】
信号品質の評価のために雑音を低減する方法であって、
前記信号品質の評価において使用される測定装置（１００）の使用に関連付けられる雑音について、測定雑音プロファイルを求めるステップ（２０２）と、
前記測定雑音プロファイルを使用し、信号サンプル内に存在する他の雑音を低減することなしに、該信号サンプルから測定雑音を低減するステップ（２０４）と、
を含む、方法。
【請求項２】
前記信号サンプルは、前記信号品質の評価を実行する対象のネットワーク（１１０）から受信され、
前記信号サンプル内に存在する前記他の雑音は、前記ネットワークを介した前記信号サンプルの伝送によって取り込まれるネットワーク雑音を有する、
請求項１に記載の方法。
【請求項３】
前記測定装置の発信元ポートを使用して、前記ネットワークを介してクリーンな信号サンプルを伝送するステップ（２０１）と、
前記測定装置の宛先ポートを使用して、前記ネットワークから、雑音の多い信号サンプルを受信するステップ（２０１）であって、前記測定雑音が低減される対象となる前記信号サンプルは、該雑音の多い信号サンプルである、ステップ（２０１）と、
を含む、請求項２に記載の方法。
【請求項４】
前記測定装置の発信元ポートを使用し、前記ネットワークを介して、測定雑音除去のための事前処理が施された信号を送信するステップ（３１３）を含み、
前記測定雑音が低減される対象となる前記信号サンプルは、該事前処理が施される信号である、
請求項２に記載の方法。
【請求項５】
前記測定装置の宛先ポートを使用して、前記ネットワークから、雑音の多い信号サンプルを受信するステップ（３０１）と、
前記雑音の多い信号のサンプルから、前記測定装置宛先ポートの測定雑音を、該信号サンプル内に存在する他の雑音を低減することなしに、低減するステップ（２０４）と、
を含む、請求項４に記載の方法。
【請求項６】
前記測定雑音プロファイルを求めるステップは、
前記測定装置の宛先ポートに関連付けられる測定雑音プロファイルを求めるステップ（４０１〜４０５）を含む、
請求項１に記載の方法。
【請求項７】
前記測定雑音プロファイルを求めるステップは、
前記測定装置の発信元ポート及び宛先ポートに関連付けられる測定雑音プロフィルを求めるステップ（４０１〜４２１）を含む、
請求項１に記載の方法。
【請求項８】
信号品質の評価のために雑音を低減するシステムであって、
信号品質の評価を実施する対象のネットワーク（１１０）に接続する宛先ポート（１０２）と、
内部に測定雑音を有する信号を受信し、前記測定雑音の関数として測定雑音プロファイルを算出する測定雑音プロファイル機能モジュール（２０２）と、
前記測定雑音プロファイル機能モジュールと通信し、該モジュールから、前記測定雑音プロファイルを受け取り、該測定雑音プロファイルを使用し、前記ネットワークによって取り込まれた前記信号内のネットワーク雑音を低減することなしに、前記宛先ポートによって前記ネットワークから受信した信号から測定雑音を低減する測定雑音低減プロセス機能モジュール（２０４）と、
を備える、システム。
【請求項９】
前記信号品質の評価を実施する対象の前記ネットワークに接続する発信元ポート（１０１）をさらに備え、
前記宛先ポートによって前記ネットワークから受信される前記信号は、初めに、前記発信元ポートを介して前記ネットワークに伝送される、
請求項８に記載のシステム。
【請求項１０】
前記測定雑音低減プロセス機能モジュールは、前記宛先ポートによって取り込まれる測定雑音の低減とは別個に、前記発信元ポートによって取り込まれる測定雑音を低減する、
請求項９に記載のシステム。
【発明の詳細な説明】
【技術分野】
【０００１】
本発明は、一般に、信号品質の評価に関し、より具体的には、信号品質評価のための測定を実施する際に発生する雑音を低減する手法に関する。
【背景技術】
【０００２】
サービスプロバイダ、ネットワーク事業者、加入者、又はこれらに類似するものにとっては、ネットワークを通じて搬送される信号の品質に関する情報を取得することが望ましいことが多い。例えば、サービスプロバイダの場合には、自身のネットワークが信号の伝達に使用されている場合には、所定の信号品質（例：最大雑音レベル）を保証する必要がある。同様に、ＩＴＵＴ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ：国際電気通信連合電気通信標準化部門）勧告などの工業規格によって、音声信号のキャリアなどの所定のネットワークサービスについて、最低信号品質が規定されている。このような最低信号品質を満足していることを保証するため、信号品質の評価は、インターネットの場合のように、サービスプロバイダによって制御されていないネットワーク接続及び／又はノードを使用する場合には、特に重要となる。例えば、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）上で行われるＬＡＴＡ間（ｉｎｔｅｒＬＡＴＡ）通話のように長距離通話用の料金体系が存在しないという理由から、ＶｏＩＰ（Ｖｏｉｃｅ  ｏｖｅｒ  Ｉｎｔｅｒｎｅｔ  Ｐｒｏｔｏｃｏｌ）が普及しつつあるが、インターネットにおいては、ノードとリンクの様々な組が提供され、これらの様々な組み合わせが、任意の１つの通信セッションで使用されることになる。この結果、このようなサービスのプロバイダ及び／又はユーザーにとって、このような手段を通じて搬送される信号の品質を定期的に評価し、それらの信号が音声品質伝送の基準を満足していることを保証することが重要となる。
【０００３】
音声品質テスタ（Ｖｏｉｃｅ  Ｑｕａｌｉｔｙ  Ｔｅｓｔｅｒ：ＶＱＴ）と呼ばれることの多い音声品質評価システムが既に開発されており、これによれば、電話装置及び回線上における音声品質が客観的に定量化される。例えば、ＶＱＴによれば、ＩＴＵ−Ｔ  Ｐ．８６２「ＰＥＳＱ−Ｐｅｒｃｅｐｔｕａｌ  Ｅｖａｌｕａｔｉｏｎ  ｏｆ  Ｓｐｅｅｃｈ  Ｑｕａｌｉｔｙ」及びＩＴＵ−Ｔ  Ｐ８６１「ＰＳＱＭ−Ｐｅｒｃｅｐｔｕａｌ  Ｓｐｅｅｃｈ  Ｑｕａｌｉｔｙ  Ｍｅａｓｕｒｅ」に示されているような、対応する音声品質に関するＩＴＵ−Ｔ勧告に照らし、ネットワークを通じて伝送される信号を評価することができる（これらの勧告のそれぞれは、参照により本明細書に取り込まれる）。電話装置及び回線上における音声品質を定量化するよう動作可能な音声品質評価システムの例には、ＶＱＴ  Ｐｏｒｔａｂｌｅ  Ａｎａｌｙｚｅｒ（モデルＪ１９８１Ｂ）、ＶＱＴ  Ｎｅｔｗｏｒｋ  Ｓｅｒｖｅｒ（モデルＪ１９８７Ｂ）、ＶＱＴ  Ｒｅｓｐｏｎｄｅｒ  Ｕｎｉｔ（モデルＪ５４２６Ａ）、及びＶＱＴ  Ｓｏｆｔｗａｒｅ  Ｅｄｉｔｉｏｎ（モデルＪ５４７９Ａ）が含まれ、これらは、いずれも、カリフォルニア州パロアルトに所在するアジレントテクノロジー社（Ａｇｉｌｅｎｔ  Ｔｅｃｈｎｏｌｏｇｉｅｓ，  Ｉｎｃ．，  Ｐａｌｏ  Ａｌｔｏ，  Ｃａｌｉｆｏｒｎｉａ）から入手可能である。
【０００４】
動作の際には、適切なインターフェースを使用して試験対象の電話網に該ＶＱＴを接続することにより、音声品質の評価が行われる。オリジナルの試験スピーチサンプル(speech sample)を、ＶＱＴの測定インターフェース（発信元側）を通じて被試験電話網に供給し、劣化したスピーチサンプルを、ＶＱＴの測定インターフェース（宛先側）を通じて取得する。次いで、これらのオリジナルのスピーチサンプル及び劣化したスピーチサンプルの分析から、音声品質スコア（例：ＰＥＳＱ）を導出する。尚、このようなＶＱＴによる音声品質スコアの算出は、デジタル化されたスピーチ信号に基づいて実行される。これは、大部分の最近のネットワークインフラが、このような信号をデジタル的に搬送しているからである。
【０００５】
様々なネットワークに対する、及び／又は様々な状況におけるＶＱＴの接続を容易にするため、これらのＶＱＴは、２つの一般的なタイプの測定インターフェースをサポートしている。具体的には、前述のＶＱＴの場合には、デジタルインターフェース（例：Ｅ１、Ｔ１、１０／１００、及びこれらに類似したもの）とアナログインターフェース（例：ＦＸＯ、Ｅ＆Ｍ、及びこれらに類似したもの）をサポートしている。大部分の最近のネットワークインフラにおいては、信号はデジタル的に搬送されているが、回線の“ラストマイル(last mile)”は、アナログになっていることが多い。同様に、音声信号も、発呼側との間の送受信の際には、一般的に、アナログの形態になっている。このため、ＶＱＴの音声品質スコアの算出は、デジタル化されたスピーチ信号に基づいて行うことができるが、アナログスピーチ信号をデジタルスピーチ信号に（及び、この逆に）変換し、該変換によって、様々な状況のネットワークに対してＶＱＴのインターフェースをとる作業を容易にすべく、ＶＱＴに対してアナログインターフェースを提供することが有用なことが多い。
【発明の開示】
【発明が解決しようとする課題】
【０００６】
しかしながら、ＶＱＴのアナログインターフェースは、しばしば、信号変換プロセスにおいて、評価対象のスピーチサンプル又は他の信号に、電気的な雑音（本明細書においては、これを測定雑音と呼ぶ）をもたらす。この結果、測定雑音（これは、測定プロセスにおいてのみ生じるものであり、通常の動作の際には、ネットワークのユーザーによって知覚されない）によって損なわれたスピーチサンプルが、音声品質スコアの算出に使用されることになる。その結果取得される音声品質スコアは、余分な雑音（測定雑音）の影響を受けることになり、被試験電話網の正確な音声品質を反映した、期待通りのピュア(pure)な予想スコアを実現することができなくなる。
【課題を解決するための手段】
【０００７】
本発明は、信号品質評価のための測定を実施する際に取り込まれる雑音を低減するためのシステム及び方法に関する。本発明の実施例は、アナログインターフェースのような雑音の多いインターフェースの使用と関連付けられる測定雑音を低減するよう動作し、電気通信ネットワークの音声品質評価のパフォーマンス（性能）を改善する。本発明の実施例に従う測定雑音の低減によれば、被試験ネットワークによって発生する雑音に対して影響を与えることなしに、測定雑音が緩和され、その結果、正確かつ信頼性の高い信号品質評価を提供することができる。
【０００８】
本発明の実施例においては、測定雑音の低減を提供するべく、複数の機能モジュールを実現する。例えば、一実施例においては、信号送信／受信機能モジュール、測定雑音プロファイル機能モジュール、インターフェース情報機能モジュール、及び測定雑音低減プロセス機能モジュールを実現しており、これらは、本発明に従う測定雑音の低減を提供するよう協働する。信号送信／受信機能モジュールは、品質評価測定を実施する際に使用される試験信号の送信及び受信を提供する。測定雑音プロファイル機能モジュールは、測定システムのインターフェースによってもたらされる測定雑音を表すプロファイルを提供するよう動作する。インターフェース情報機能モジュールは、品質評価測定に関して使用される特定のインターフェースに関する情報を提供する。該実施例においては、これらの機能モジュールのそれぞれからの情報が、測定雑音低減プロセス機能モジュールに提供される。該測定雑音低減プロセス機能モジュールには、サンプリングされた信号に被試験ネットワークによって取り込まれた雑音に対しては実質的に影響を与えることなしに、測定雑音を低減するための１つ又は複数の雑音減算アルゴリズムが実装されている。
【０００９】
本発明の実施例は、中央集中又は分散構成において提供されることができる。例えば、中央集中構成を実現し、すべての測定雑音を、同一の試験装置によってプロファイリング(profiling)及び／又は低減することができる（例：中央集中ＶＱＴシステム）。代替的に、分散構成を実現し、測定雑音のいくつかの側面（発信元側インターフェース又は宛先側インターフェース）を、異なる試験システムコンポーネント（分散ＶＱＴシステムの発信元側及び宛先側コンポーネント）によってプロファイリング及び／又は低減することができる。
【発明を実施するための最良の形態】
【００１０】
本発明についてより理解するべく、以下の説明は、図面を参照して行われる。
【００１１】
図１Ａを参照すると、本発明の実施例に従って適合された音声品質評価システムが示されている。具体的には、図１Ａは、発信元測定インターフェース１０１及び宛先測定インターフェース１０２を介して、ネットワーク１１０として示されている被試験ネットワークに接続された音声品質テスタ（Ｖｏｉｃｅ  Ｑｕａｌｉｔｙ  Ｔｅｓｔｅｒ：ＶＱＴ）１００の中央集中構成を示している。
【００１２】
本発明の実施例のＶＱＴ１００は、プロセッサに基づくシステムを備えており、該プロセッサは、本明細書において説明する動作を定義する命令セットの制御下において動作可能である。該プロセッサに基づくシステムは、図示の発信元測定インターフェース１０１及び宛先測定インターフェース１０２に加え、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、磁気及び／又は光ディスク媒体などのメモリ；キーボード、デジタルポインタ、ビデオディスプレイ、プリンタ、ネットワークインターフェースカード（Ｎｅｔｗｏｒｋ  Ｉｎｔｅｒｆａｃｅ  Ｃａｒｄ：ＮＩＣ）、モデム、シリアルインターフェースなどの入出力インターフェース及び装置；並びに／又は、本発明の実施例に従う有用な他のコンポーネントを含むことができる。本発明の実施例は、前述のカリフォルニア州パロアルトに所在するアジレントテクノロジー社から入手可能なＶＱＴ  Ｐｏｒｔａｂｌｅ  Ａｎａｌｙｚｅｒ、ＶＱＴ  Ｎｅｔｗｏｒｋ  Ｓｅｒｖｅｒ、及び／又はＶＱＴ  Ｒｅｓｐｏｎｄｅｒ  Ｕｎｉｔなどの従来のＶＱＴシステムの装置上において動作可能なコンピュータプログラムコード又は他の命令セットとして実現されることができる。
【００１３】
ＶＱＴ１００は、中央集中構成を提供することができる、単一のシステムとして示されているが、ＶＱＴ１００の実施例としては、本明細書において説明する動作を提供するよう協働する複数のシステムを備えることもできる。例えば、ＶＱＴ１００及びその機能モジュールは、図１Ｂに示されているように、分散すなわち非中央集中構成において提供されることができ、この場合には、互いに遠隔に配置されたシステム１００Ｓ及び１００Ｄは、ネットワーク１１０又は他のネットワークを通じて通信しあい、協働してＶＱＴ１００の動作を提供する。
【００１４】
ネットワーク１１０は、１つのネットワーク又は複数のネットワークの組み合わせから構成されることができる。例えば、ネットワーク１１０は、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆交換電話網）、インターネット、ＬＡＮ（Ｌｏａｌ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）、ＷＡＮ（Ｗｉｄｅ  Ａｒｅａ、Ｎｅｔｗｏｒｋ）、ケーブル伝送システム、衛星通信システム、およびこれらの組み合わせを含むことができる。ネットワーク１１０は、様々なデジタル及びアナログプロトコルを含む１つ又は複数のプロトコルを使用して、信号を伝送することができる。
【００１５】
本発明の実施例によれば、発信元測定インターフェース１０１及び宛先測定インターフェース１０２は、様々な異なる状況においてネットワーク１１０に対するＶＱＴ１００の接続を容易にし(facilitate)、かつ／又は、様々なネットワーク（図示せず）に対するＶＱＴ１００の接続を容易にするよう、複数のインターフェースプロトコルに対応している。本発明の実施例の発信元測定インターフェース１０１及び宛先測定インターフェース１０２は、アナログ及びデジタルインターフェースを提供している。例えば、発信元測定インターフェース１０１及び宛先測定インターフェース１０２は、Ｅ１、Ｔ１、Ｅｔｈｅｒｎｅｔ  １０／１００、及び／又は他のデジタルプロトコル、並びに、ＦＸＯ、Ｅ＆Ｍ、及び／又は他のアナログプロトコルに対応することができる。本発明の実施例によれば、発信元測定インターフェース１０１は、音声品質評価のためにネットワーク１１０に接続される際に、必要に応じて、宛先測定インターフェース１０２により実現されるインターフェースプロトコルとは異なるインターフェースプロトコルを実現することができる。
【００１６】
ネットワーク１１０の音声品質評価を提供するよう動作する際には、ＶＱＴ１００は、発信元測定インターフェース１０１を介して、ネットワーク１１０に対し、オリジナルの試験スピーチサンプルを供給し、宛先測定インターフェース１０２を介して、ネットワーク１１０から、劣化したスピーチサンプルを取得する。この劣化したスピーチサンプルには、ネットワーク１１０のコンポーネントによって搬送された結果として該信号内に取り込まれた雑音および信号の歪などが含まれている（ネットワーク雑音）。さらに、劣化したスピーチサンプルには、ＶＱＴ１００の１つ又は複数のコンポーネントによって該信号内に取り込まれた雑音および信号歪なども含まれている（測定雑音）。ネットワーク１１０によって搬送される音声品質の正確な分析を提供するため、本発明の実施例に従って適合されたＶＱＴ１００は、該サンプル内に存在しているネットワーク雑音に対して実質的に影響を与えることなしに、測定雑音の影響を除去又は緩和するよう動作する。
【００１７】
雑音低減の手法については、当該技術分野において周知であるが、既存の手法は、信号内に存在するすべての雑音の低減又は除去を試みるよう動作する、という点を理解されたい。本発明の動作によれば、いくつかの雑音（即ち、ネットワークによって取り込まれたもの）は、雑音低減手法の実施によって影響を受けることなく維持される一方で、その他の雑音（即ち、試験システムによって取り込まれたもの）は、可能な限り完全に除去又は緩和されるという独自の状況が提供する。測定雑音低減のための動作をさらに複雑にすることにより、インターフェース及び／又はインターフェースの組み合わせが異なる様々な音声品質試験シナリオを使用することが可能となる。
【００１８】
こうして、測定雑音低減の際には、本発明の実施例のＶＱＴ１００は、測定雑音のみを低減し、可能な限り、信号内に歪が取り込まれることを回避するよう動作する。更に、ＶＱＴ１００は、測定インターフェースの異なる組み合わせにより、様々な音声品質試験シナリオが使用される状況（その結果、異なる場所（例：発信元／宛先）で混入した対応する雑音が、スピーチ信号に対して異なる影響を有する）に対処する測定雑音低減動作を提供する。
【００１９】
図２を参照すると、図１のＶＱＴ１００の実施例に関する更なる詳細が示されている。具体的には、ＶＱＴ１００に関し、本発明の実施例に従う動作を提供するよう動作可能な機能ブロック図が示されている。図２に示されているＶＱＴ１００の実施例は、信号送信／受信機能モジュール２０１、ＶＱＴ雑音プロファイル機能モジュール２０２、インターフェース情報機能モジュール２０３、及び音声品質テスタアプリケーション２１１に接続された測定雑音低減プロセス機能モジュール２０４を備えている。本発明の実施例によれば、音声品質テスタアプリケーション２１１は、実質的に従来の方式によって動作し（例：前述のアジレントテクノロジー社から入手可能なＶＱＴ  Ｓｏｆｔｗａｒｅ  Ｅｄｉｔｉｏｎを含む）、機能モジュール２０１〜２０４は、信号品質評価に関して、改善された動作を提供する。
【００２０】
本発明の実施例の信号送信／受信機能モジュール２０１は、ＶＱＴ１００の測定インターフェースを介して、信号サンプル（例：雑音が多いスピーチ信号）を取得するよう動作する。例えば、ＶＱＴ１００は、発信元測定インターフェース１０１を介してネットワーク１１０に伝送するべく、自身のメモリ内に、１つ又は複数のオリジナルスピーチ信号（例：異なるネットワーク又はネットワークの異なる側面についての試験に使用する異なる信号）を保存することができる。更に、ＶＱＴ１００は、宛先測定インターフェース１０２を介してネットワーク１１０から受信した１つ又は複数の受信スピーチ信号（例：ＶＱＴ１００が伝送したオリジナルのスピーチ信号に対応する）を、自身のメモリ内に保存することができる。
【００２１】
前述のように、音声品質スコア（例：ＰＥＳＱ）の演算は、被試験ネットワークに供給したオリジナルのスピーチ信号と、被試験ネットワークから受信した対応する劣化したスピーチ信号に基づいて実行されることができる。しかしながら、ＶＱＴ１００によって（例えば、発信元測定インターフェース１０１及び／又は宛先測定インターフェース１０２によって）、測定雑音がスピーチ信号内に取り込まれることがある。このため、本発明の実施例のＶＱＴ１００は、発信元側による測定雑音の混入及び／又は宛先側による測定雑音の混入と関連する測定雑音を低減するよう動作することができる。
【００２２】
宛先（受信）モードにおいて動作する際には、信号送信／受信機能モジュール２０１は、雑音の多いスピーチ信号ｙ（ｉ）を取得し、本発明の実施例に従う雑音低減のために、測定雑音低減プロセス機能モジュール２０４に提供することができるように、該受信した劣化スピーチ信号を、オーディオファイルなどの形態で保存する。一方、発信元（送信）モードにおいて動作する際には、信号送信／受信機能モジュール２０１の実施例は、オリジナルのスピーチ信号ｙｌ（ｉ）を取得し、本発明の実施例に従う雑音低減のために、測定雑音低減プロセス機能モジュール２０４に提供することができるように、該オリジナルのスピーチ信号をオーディオファイルなどの形態で保存することができる。さらに、発信元モードで動作する際には、信号送信／受信機能モジュール２０１は、測定雑音低減プロセス機能モジュール２０４による測定雑音低減を適用することによって処理されたスピーチ信号を保存することもできる。こうして、処理済みのオリジナルのスピーチ信号ｘ（ｉ）（これは、測定雑音低減について「事前処理」済みである）をＶＱＴ１００から伝送することにより、発信元側においてＶＱＴ１００によって混入されるような測定雑音を低減又は緩和することができる。
【００２３】
図３には、上記の送信／受信機能モジュール２０１の実施形態が示されており、ここでは、宛先モード及び発信元モードのフローチャートが示されている。具体的には、図３に示されている宛先モードにおいては、ブロック３０１において、ＶＱＴ１００は、ネットワーク１１０から受信した劣化スピーチサンプルをオーディオファイルに記録及び保存する。次いで、ブロック３０２において、このオーディオファイルは、本発明に従う測定雑音低減のために、雑音の多いスピーチ信号ｙ（ｉ）として読み取られる。この図示の実施例においては、この雑音の多いスピーチ信号ｙ（ｉ）は、測定雑音低減プロセス機能モジュール２０４に渡されるために、バッファ内に保存される。一方、図３に示されている発信元モードにおいては、ブロック３１１において、処理済のオリジナルのスピーチ信号ｘ（ｉ）が、測定雑音低減プロセス機能モジュール２０４からの信号を送るために、バッファから読み取られる。その後、ブロック３１２において、ネットワーク１１０への伝送のために、この処理済のオリジナルのスピーチ信号ｘ（ｉ）は、オーディオファイルに保存される。この図示の実施例によれば、このオーディオファイルは、ブロック３１３において、ＶＱＴ１００からネットワーク１１０に伝送される。
【００２４】
本発明の実施例のＶＱＴ雑音プロファイル機能モジュール２０２は、ＶＱＴ１００又は該ＶＱＴ１００の一部の動作に関連付けられる測定雑音をプロファイリングするよう動作する。図４のフローチャートには、本発明の実施例に従う測定雑音プロファイルの取得に関する詳細が示されている。この図４のフローチャートには、２つの測定雑音プロファイル取得段階が含まれている。具体的には、ブロック４０１〜ブロック４０５は、宛先側測定雑音プロファイルの取得に関連しており、ブロック４１１〜ブロック４１５は、発信元及び宛先側測定雑音プロファイルの取得に関連している。ブロック４２１は、宛先側測定雑音プロファイルと、発信元側および宛先側測定雑音プロファイルとを使用して、発信元側測定雑音プロファイルを取得する機能を提供する。
【００２５】
本発明の実施例は、発信元側測定雑音プロファイルおよび宛先側測定雑音プロファイルなどの測定雑音プロファイルを取得する複数の段階を実現する。例えば、ＶＱＴ１００の実施例は、発信元側測定雑音プロファイルを使用し、発信元測定インターフェース１０１に関連付けられる測定雑音を事前に低減し、かつ／又は、宛先側測定雑音プロファイルを使用し、宛先測定インターフェース１０２に関連付けられる測定雑音を低減することができる。
【００２６】
図示の実施例に従う動作において、ＶＱＴ１００の特定のインターフェース（例：アナログインターフェースであるＦＸＯ又はＥ＆Ｍのうちの１つ）についての宛先側測定雑音プロファイルＮｄｅｓ（ｆ）の取得は、ブロック４０１において始まり、ここでは、測定雑音プロファイルを取得しようとしている対象であるＶＱＴ１００の特定の宛先インターフェースを、ネットワーク１１０から（その他の潜在的な雑音源と共に）切断する。ブロック４０２において、ＶＱＴ１００は、測定雑音プロファイルを取得しようとしている対象であるＶＱＴ１００の特定の宛先インターフェースを「リスン(listen)」し、この宛先ポートのみによって生成される信号を記録する。次いで、ブロック４０３において、この記録した雑音信号ｎｄｅｓ（ｉ）を、宛先側測定雑音プロファイルを演算するために読み取ることができる。ブロック４０４において、この雑音信号ｎｄｅｓ（ｉ）を使用し、宛先側測定雑音プロファイルＮｄｅｓ（ｆ）を演算する。一実施例によれば、高速フーリエ変換（ＦＦＴ）を使用し（エイリアジングを低減するためＨａｎｎｉｎｇ（ハニング）関数を用いることができる）、この宛先側測定雑音プロファイルＮｄｅｓ（ｆ）を演算する。ブロック４０５において、例えば、調節可能なパラメータλｄｅｓを使用する一次低域通過フィルタにより、この宛先側測定雑音プロファイルＮｄｅｓ（ｆ）をスムージング（平滑化）する（実施例において、スムージングパラメータλｄｅｓは、０．５〜０．９９の範囲内になるように選択されている）。こうして、一連のブロック４０１〜ブロック４０５の動作の後、本発明の実施例のＶＱＴ雑音プロファイル機能モジュール２０２は、本発明に従う有用な宛先側測定雑音プロファイルＮｄｅｓ（ｆ）を提供する。
【００２７】
一方、ＶＱＴ１００の特定のインターフェースの組み合わせ（例：発信元及び宛先側におけるアナログインターフェースであるＦＸＯ又はＥ＆Ｍのうちの１つ）の発信元及び宛先側測定雑音プロファイルＮｂｏｔｈ（ｆ）の取得は、この図示の実施例のブロック４１１において始まり、ここでは、測定雑音プロファイルを取得しようとしている対象のＶＱＴ１００の特定の発信元及び宛先インターフェースを、クロスオーバーケーブル（「ヌル(null)」ケーブルとも呼ばれる）を使用して接続する。ブロック４１２において、測定雑音プロファイルを取得しようとしている対象のＶＱＴ１００の特定の発信元インターフェースを制御して、サイレンス(silence、無音)を「再生(play)」する。これに相応して、ＶＱＴ１００は、測定雑音プロファイルを取得しようとしている対象のＶＱＴ１００の特定の宛先インターフェースを「リスン」して、生成された信号を記録する（この信号には、この宛先ポートにより生成されるノイズだけではなく、前述のクロスオーバーケーブルを使用して該クロスオーバーケーブル接続されている発信元ポートによって生成される雑音も含まれている）。次いで、発信元及び宛先側測定雑音プロファイルを演算するため、ブロック４１３において、この記録した雑音信号ｎｂｏｔｈ（ｉ）を読み取ることができる。ブロック４１４において、この雑音信号ｎｂｏｔｈ（ｉ）を使用し、発信元及び宛先側測定雑音プロファイルＮｂｏｔｈ（ｆ）を演算する。一実施例によれば、ＦＦＴを使用し（エイリアジングを低減するためＨａｎｎｉｎｇ関数を用いることができる）、発信元及び宛先側測定雑音プロファイルＮｂｏｔｈ（ｆ）を演算する。ブロック４１５において、調節可能なパラメータλｂｏｔｈを使用する一次低域通過フィルタなどにより、この発信元及び宛先側測定雑音プロファイルＮｂｏｔｈ（ｆ）をスムージング（平滑化）する（この実施例においては、スムージングパラメータλｂｏｔｈは、０．５〜０．９９の範囲内になるように選択されている）。一連のブロック４１１〜ブロック４１５の動作の後、本発明の実施例のＶＱＴ雑音プロファイル機能モジュール２０２は、本発明に従う有用な発信元及び宛先側測定雑音プロファイルＮｂｏｔｈ（ｆ）を提供する。
【００２８】
この図示の実施例のブロック４２１においては、前述の測定雑音プロファイル段階のそれぞれから取得された情報を使用して、さらなる測定雑音プロファイルを取得する。具体的には、図４のブロック４２１は、ブロック４１１〜ブロック４１５の動作によって求められた発信元及び宛先側測定雑音プロファイルと、ブロック４０１〜ブロック４０５の動作によって求められた宛先側測定雑音プロファイルとを使用して、発信元側測定雑音プロファイルを演算する。一実施例によれば、この発信元側測定雑音プロファイルＮｓｏｕ（ｆ）は、発信元及び宛先側測定雑音プロファイルＮｂｏｔｈ（ｆ）と、宛先側測定雑音プロファイルＮｄｅｓ（ｆ）とに対してスペクトル減算(spectral subtraction)を使用することにより算出される（例：Ｎｓｏｕ（ｆ）＝Ｎｂｏｔｈ（ｆ）−Ｎｄｅｓ（ｆ））。これらの測定雑音プロファイルのいずれか又はすべてを、測定雑音低減プロセス機能モジュール２０４に供給し、本発明に従う測定雑音低減に使用することができる。
【００２９】
異なるタイプのインターフェース（例：ＦＸＯ又はＥ＆Ｍ）の測定雑音プロファイルは、異なるものになる。このため、本発明の実施例は、ＶＱＴ１００の動作の際、測定雑音を低減する対象であるそれぞれのタイプのインターフェース及びインターフェースの組み合わせについて、前述のステップを実行するよう動作する。
【００３０】
本発明の実施例によれば、ＶＱＴの雑音プロファイル機能モジュール２０２による雑音プロファイルの取得は、アナログインターフェースに関連した音声品質試験をＶＱＴ１００が開始する前に実行される。ＶＱＴ装置の典型的なアナログインターフェースの研究から、雑音信号のスペクトル分散が、様々な時間又は様々なインターフェースハードウェア間において相対的に小さいことが判明している。この知見に基づき、本発明の実施例においては、製造時点及び／又は定期的な較正動作の際などに、測定雑音プロファイルをオフラインで取得する。
【００３１】
本発明の実施例のインターフェース情報機能モジュール２０３は、ＶＱＴの測定インターフェースに関する情報を取得するよう動作する。様々な信号タイプを有する様々なルートの音声品質を試験するため、ＶＱＴ１００によって実行されるモデム音声品質試験には、測定インターフェースの様々な組み合わせによる様々な音声品質試験シナリオを含むことができる。次の表には、ネットワーク１１０に関する音声品質の測定を実行する際にＶＱＴ１００が利用することのできる典型的なインターフェースの組み合わせ（Ｉｎｔｅｒｆａｃｅ  Ｃｏｍｂｉｎａｔｉｏｎ：ＩＣ）を一覧にしている。尚、デジタルインターフェース（例：Ｔ１、Ｅ１、１０／１００）の場合には、所望の音声品質測定の実行の際に、通常、電気的な雑音が発生しないので、ＶＱＴ１００の実施例においては、インターフェース情報機能モジュール２０３について、アナログインターフェースに関連した組み合わせのみを採用している。
【表１】
2005328527.tif 000003
【００３２】
図５には、インターフェース情報機能モジュール２３０の実施例が示されている。まず、ブロック５０１において、音声信号試験を実施するため、ＶＱＴ１００およびネットワーク１１０間に適切な接続を提供する。例えば、Ｔ１、Ｅ１、Ｅｔｈｅｒｎｅｔ  １０／１００プロトコルに従って動作可能なデジタルインターフェース、または、ＦＸＯ又はＥ＆Ｍプロトコルに従って動作可能なアナログインターフェースのいずれかを、ＶＱＴ１００の発信元側インターフェースとして、ネットワーク１１０に接続することができる。同様に、Ｔ１、Ｅ１、又はＥｔｈｅｒｎｅｔ  １０／１００プロトコルに従って動作可能なデジタルインターフェース、または、ＦＸＯ又はＥ＆Ｍプロトコルに従って動作可能なアナログインターフェースのいずれかを、ＶＱＴ１００の宛先側インターフェースとして、ネットワーク１１０に接続することができる。ブロック５０２において、インターフェース情報機能モジュール２０３は、使用されている発信元及び宛先測定インターフェースのタイプを検出するよう動作すると共に、本発明に従う測定雑音の低減に使用するため、このインターフェースの組み合わせに関する情報を、測定雑音低減プロセス機能モジュール２０４に提供する。
【００３３】
本発明の実施例の測定雑音低減プロセス機能モジュール２０４は、測定雑音低減プロセスを実行するよう動作する。具体的には、本発明の実施例の測定雑音低減プロセス機能モジュール２０４は、被試験ネットワークによって取り込まれた雑音に対して影響を与えることなしに、スピーチ信号から測定雑音を減算する。測定雑音低減プロセス機能モジュール２０４の実施例は、ＮＬＳＳ（Ｎｏｎｌｉｎｅａｒ  Ｓｐｅｃｔｒａｌ  Ｓｕｂｔｒａｃｔｉｏｎ）を実現することができ、ここで、該減算は、信号の周波数成分について実行される。尚、ＮＬＳＳ法については、Ｓａｅｅｄ  Ｖ．  Ｖａｓｅｇｈｉによる「Ａｄｖａｎｃｅｄ  Ｄｉｇｉｔａｌ  Ｓｉｇｎａｌ  Ｐｒｏｃｅｓｓｉｎｇ  ａｎｄ  Ｎｏｉｓｅ  Ｒｅｄｕｃｔｉｏｎ」（Ｊｏｈｎ  Ｗｉｌｅｙ  ＆  Ｓｏｎｓ  Ｌｔｄ、２０００年）に詳述されており、ここで参照により本明細書に取り入れられる。
【００３４】
しかしながら、既存のＮＬＳＳアルゴリズムの場合には、被試験ネットワークによって取り込まれた雑音も低減され、よって、結果としての音声品質評価に影響するので、測定雑音低減プロセス機能モジュール２０４の測定雑音の低減に、該既存のＮＬＳＳアルゴリズムをそのまま適用することはできない。例えば、雑音低減のための典型的な手順によれば、スピーチ内の信号の非スピーチ部分を検出し、該非スピーチ部分を使用して雑音プロファイルを推定し、該プロファイルによって雑音を低減する。このようなプロセスにおいては、すべてのバックグラウンド雑音（測定雑音であるか、ネットワーク雑音であるかを問わず）が低減されてしまう。しかしながら、本発明の実施例においては、測定雑音のみ（例：ＶＱＴの発信元及び宛先アナログインターフェースによって取り込まれた雑音）を低減しつつ、信号品質評価に関連するすべての他の種類の雑音（例：被試験ネットワークによって取り込まれる雑音）を維持する。
【００３５】
本発明の実施例によれば、音声品質システムの異なる箇所（例：発信元／宛先）で取り込まれる測定雑音が、前述の発信元測定雑音プロファイル及び宛先測定プロファイルを使用することのできる異なるプロセスによって低減される。例えば、発信元測定雑音プロファイルに対して第１のＮＬＳＳプロセスを使用し、発信元側測定雑音を低減することができ、宛先測定雑音プロファイルに対して第２のＮＬＳＳプロセスを使用して、宛先側測定雑音を低減することができる。このような別個の測定雑音プロセスは、発信元信号が被試験ネットワーク内に取り込まれる前に、該発信元信号に関する発信元側測定雑音を「事前処理(pre-processed)」することができる、という点で有利である。当然のことながら、本発明の実施例に関し、音声品質システムの異なる地点で取り込まれる測定雑音に対して同一の又は異なる測定雑音低減プロセスを使用することに、何の制限もない。
【００３６】
音声品質システムの異なるインターフェース又はインターフェースの組み合わせによって取り込まれる測定雑音は、本発明の実施例に従う異なるプロセスによって低減される。例えば、ＶＱＴ１００の発信元インターフェース及び宛先インターフェースとして使用されているアナログＦＸＯ及びＥ＆Ｍインターフェースの異なる組み合わせによって取り込まれる測定雑音は、採用されている特定のインターフェース及びインターフェースの組み合わせに対応する発信元測定雑音プロファイル、宛先測定雑音プロファイル、及び、発信元及び宛先測定雑音プロファイルに関して利用可能な、異なるＮＬＳＳプロセスを使用して低減される。
【００３７】
図６を参照すると、一実施例に従うＮＬＳＳ雑音低減プロセスを実現する測定雑音低減プロセス機能モジュール２０４の動作を示すフローチャートが示されている。判定ブロック６１１において、測定雑音低減プロセス機能モジュール２０４が、発信元モードにおいて（例えば、発信元側測定雑音を事前低減するべく）動作しているか、或いは、宛先モードにおいて（例えば、宛先側測定雑音を低減するべく）動作しているか、に関する判定を実行し、その判定したモードにおける測定雑音低減プロセス機能モジュール２０４の動作に対する適切な入力を選択する。ブロック６０１において、測定雑音低減プロセス機能モジュール２０４は、ｙ（ｉ）としてオリジナルのスピーチ信号（発信元モード）、又は、ｙ（ｉ）として雑音の多いスピーチ信号（宛先モード）を受信し、エイリアジングを低減するため、該信号に対してＨａｎｎｉｎｇ関数を実行する。ブロック６０２において、この受信したスピーチ信号ｙ（ｉ）に対してＦＦＴを実行し、オリジナルのスピーチ信号（クリーンな信号サンプル、すなわちクリーンなスピーチ信号）、或いは雑音の多いスピーチ信号（測定雑音とネットワーク雑音の両方を含む雑音の多い信号サンプル）のスペクトルＹ（ｆ）を演算する。ブロック６０２において演算されたスピーチ信号スペクトルＹ（ｆ）は、ブロック６０７に供給され、ここで、測定雑音低減プロセス機能モジュール２０４が後で使用することができるように、ブロック６０２において導出された位相情報をバッファ内に保存する。ブロック６０３において、調節可能なパラメータλを使用する一次低域通過フィルタなどにより、スピーチ信号スペクトルＹ（ｆ）をスムージング（平滑化）する（実施例においては、このスムージングパラメータλは、０．１〜０．５の範囲内になるように選択されている）。
【００３８】
測定雑音低減プロセス機能モジュール２０４の図示の実施例のブロック６０４において、処理済のスピーチ信号Ｘ（ｆ）を提供するため、ブロック６０３から供給されたスピーチ信号スペクトルＹ（ｆ）と、測定雑音のみを含む雑音プロファイルＮ（ｆ）とのスペクトル減算を実行する。該処理済みのスピーチ信号Ｘ（ｆ）は、発信元モードの場合には、発信元側測定雑音について事前処理が施された信号であり、宛先モードの場合には、ネットワーク雑音のみを含む信号である。したがって、この図示の実施例のブロック６０４は、判定ブロック６１２を介して、ＶＱＴ雑音プロファイル機能モジュール２０２から特定の動作モードに適切な雑音プロファイル情報（例：発信元モードの場合には、Ｎｓｏｕ（ｆ）、宛先モードの場合には、Ｎｄｅｓ（ｆ））を受信する。ネットワーク１１０の試験においてＶＱＴ１００が使用している特定のインターフェースの組み合わせについて、適切な雑音プロファイルを使用するため、ひいては、適切な測定雑音低減を容易化するため、図示の実施例のブロック６０４は、インターフェース情報機能モジュール２０３から、測定インターフェースの組み合わせ情報をも受信する。
【００３９】
本発明の実施例によれば、ブロック６０４において受信された雑音プロファイルＮ（ｆ）には、発信元側雑音プロファイルＮｓｏｕ（ｆ）及び／又は宛先側雑音プロファイルＮｄｅｓ（ｆ）が含まれている。例えば、ＶＱＴ１００の分散構成の場合には、図６に示されているように、ブロック６０４において、発信元モードで動作する際には、発信元側雑音プロファイルＮｓｏｕ（ｆ）を、宛先モードで動作する際には、宛先側雑音プロファイルＮｄｅｓ（ｆ）を受信することができる。この結果、ブロック６０４によって実行されるスペクトル減算は、Ｙ（ｆ）−Ｎｓｏｕ（ｆ）を行って、発信元ポートに関する測定雑音が既に事前低減された処理済のオリジナルのスピーチ信号Ｘｓｏｕ（ｆ）を提供し、および／または、Ｙ（ｆ）−Ｎｄｅｓ（ｆ）を行って、ネットワーク雑音のみを含む、雑音低減された「雑音の多いスピーチ信号」Ｘｄｅｓ（ｆ）を提供する。
【００４０】
本発明の一実施例に従うブロック６０４におけるスペクトル減算において実施されるアルゴリズムは、次のように示される。
【００４１】
Ｘ（ｆ）＝Φ（Ｙ（ｆ），Ｎｓｏｕ（ｆ），Ｎｄｅｓ（ｆ），α，ＩＣ）  （１）
ここで、Ｘ（ｆ）は、変数Φ、Ｙ（ｆ）、Ｎｓｏｕ（ｆ）、Ｎｄｅｓ（ｆ）、α、及びＩＣから導出された処理済のスピーチ信号スペクトルである。変数Φは、スペクトル減算の適切なマッピング関数を表している。変数Ｙ（ｆ）は、スペクトル減算を実行するスピーチ信号のスペクトルの大きさである。変数Ｎｓｏｕ（ｆ）及びＮｄｅｓ（ｆ）は、雑音プロファイルである。変数αは、この関数の最適化に使用される調節可能な低減ファクタである。例えば、フルの雑音減算(full noise subtraction)の場合には、α＝１であり、過減算（Over subtraction）の場合には、α＞１である（異なるケース間で雑音プロファイルの変動が大きい場合）。尚、本発明の実施例においては、１〜１．５の範囲のαを使用している。変数ＩＣは、ＶＱＴ１００に関して実装される発信元／宛先インターフェースの組み合わせに関する情報を提供する。さらに、αは、スペクトル減算ファクタを求めるのにも使用され、ＩＣは、異なるインターフェースの組み合わせによって混合した測定雑音のスペクトル減算を適用するのにも使用される。
【００４２】
測定雑音低減プロセス機能モジュール２０４の図示の実施例のブロック６０５において、スペクトル減算の出力が負の大きさを有すること回避するため、演算された処理済のスピーチ信号スペクトルＸ（ｆ）に対し、事後処理を実行する。本発明の一実施例に従う、適用される事後処理が、次に示されている。
【数１】
2005328527.tif 000004
【００４３】
ここで、βは、信号対雑音比（ＳＮＲ）に関連するチューニングパラメータである。本発明の実施例に従うβの典型的な値は、０．０１である。
【００４４】
ブロック６０６において、前述のように導出された処理済みのスピーチ信号スペクトルから、測定雑音が低減された信号を演算する。例えば、逆ＦＦＴ（Ｉｎｖｅｒｓｅ  ＦＦＴ：ＩＦＦＴ）を、処理済のスピーチ信号スペクトルＸ（ｆ）に対して使用して、スピーチ信号ｘ（ｉ）を算出することができ、該信号ｘ（ｉ）は、発信元モード動作の場合には、発信元側測定雑音が既に事前低減された信号であり、宛先モード動作の場合には、ネットワーク雑音を含んでいるが、宛先側測定雑音は低減済みとなっている信号である。このスピーチ信号ｘ（ｉ）は、発信元モードにおいては、事前処理済のオリジナルのスピーチ信号として被試験ネットワークを通じて伝送するべく、測定雑音低減プロセス機能モジュール２０４によって提供されることができる。また、このスピーチ信号ｘ（ｉ）は、宛先モードにおいては、音声品質スコア（例：ＰＥＳＱ）を算出するべく、ＶＱＴ１００の従来の態様に、測定雑音低減プロセス機能モジュール２０４により提供されることができる。この音声品質スコアは、サンプル内の測定雑音が既に低減済みであるため、非常に正確であり、且つ信頼性が高い。
【００４５】
以上の説明から、本発明の実施例に従い、次の式によって、クリーンなスピーチ信号ｘ（ｉ）を取得することができる点に注意されたい。
【００４６】
ｘ（ｉ）＝Ψ（ｙ（ｉ），ｎｓｏｕ（ｉ），ｎｄｅｓ（ｉ），α，β，λ，ＩＣ）  （３）
ここで、Ψは、雑音の多いスピーチ信号ｙ（ｉ）、測定雑音ｎ（ｉ）、インターフェースの組み合わせＩＣ、及び調節可能なＮＬＳＳパラメータα、β、λという入力変数をマッピングする適切なＮＬＳＳアルゴリズムを表している。
【００４７】
本発明の実施例においては、前述のカリフォルニア州パロアルトに所在するアジレントテクノロジー社のもののように、プロセッサに基づくＶＱＴハードウェアプラットフォーム上において動作可能なソフトウェアとして、前述の機能モジュールを実現している。例えば、本発明の実施例は、Ｖｉｓｕａｌ  Ｃ＋＋によってソフトウェアとして実現され、この場合、前述の動作を提供するべく、Ｃ＋＋のＤＬＬは、既存のＶＱＴソフトウェア内に組み込まれている。図７には、本発明のＶｉｓｕａｌ  Ｃ＋＋の実施例の機能ブロック図が示されている。図７の実施例においては、送信／受信機能モジュール２０１、ＶＱＴ雑音プロファイル機能モジュール２０２、インターフェース情報機能モジュール２０３、及び測定雑音低減プロセス機能モジュール２０４の従う動作を提供するＣ＋＋のＤＬＬモジュール７００は、ＶＱＴ１００の他の機能モジュールとインターフェースを取って、前述の動作を提供する。
【００４８】
前述のＮＬＳＳによる測定雑音の低減を実現する本発明の実施例を、アジレントテクノロジー社のＶＱＴシステムに関して試験した。次の表には、この試験の代表的な結果が示されている。本発明に従う測定雑音低減の後の音声品質スコア（ＰＥＳＱ−ＬＱ）が改善されていることが、この表のデータから容易に理解することができる。
【表２】
2005328527.tif 000005
【００４９】
以上、本発明の実施例について、電話網を介した音声又はスピーチ信号の伝送に関して説明してきたが、本発明の概念は、あらゆる形態のネットワーク上に伝送されるあらゆるタイプの信号に適用することが可能である。同様に、本発明の実施例に従って低減される測定雑音については、測定インターフェースによって取り込まれる雑音に関して説明してきたが、本発明の実施例に従って低減される測定雑音は、試験及び試験装置について使用されるあらゆる装置、システム、又は機器によって生成されることがある。さらに、本明細書においては、１つの音声品質試験システム（又は、そのコンポーネント）内において前述の処理が実行される実施例について説明したが、本発明の実施例においては、あらゆるシステムに、前述の処理を提供することができる。
【図面の簡単な説明】
【００５０】
【図１Ａ】本発明の一実施例に従って適合された音声品質評価システムを示す図。
【図１Ｂ】本発明の一実施例に従って適合された音声品質評価システムを示す図。
【図２】図１の音声品質評価システムの実施例に関する詳細を示す図。
【図３】本発明の一実施例の送信／受信機能モジュールの動作のフローチャートを示す図。
【図４】本発明の一実施例の測定雑音プロファイル機能モジュールの動作のフローチャートを示す図。
【図５】本発明の一実施例のインターフェース情報機能モジュールの動作のフローチャートを示す図。
【図６】本発明の一実施例の測定雑音低減プロセス機能モジュールの動作のフローチャートを示す図。
【図７】本発明の一実施例のソフトウェア実装の機能ブロック図。
【符号の説明】
【００５１】
１００  測定装置
１０１  発信元ポート
１０２  宛先ポート
１１０  ネットワーク
２０２  測定雑音プロファイル機能モジュール
２０４  測定雑音低減プロセス機能モジュール
【図１Ａ】
2005328527.tif 000006
【図１Ｂ】
2005328527.tif 000007
【図２】
2005328527.tif 000008
【図３】
2005328527.tif 000009
【図４】
2005328527.tif 000010
【図５】
2005328527.tif 000011
【図６】
2005328527.tif 000012
【図７】
2005328527.tif 000013